(57)【要約】【課題】端子基板に張出部を設けて大型化し、しかも外力による変形や剥離を防止することができる電気音響変換器の構造を提供すること。また電気音響変換機のヨークフレームと端子基板に接する導体との短絡の可能性を減ずること。【解決手段】電気音響変換器の一部を構成し他の役割を有する部材（具体例としては振動板押えリング、振動板のプロテクター、又はヨークフレーム）の一部を、電気音響変換器の本来の自然な輪郭（振動板の外形に近い円形輪郭）部分を越えて張出させ、端子基板の同様な張出部に対する受け部材として前記端子基板の前面側に当接又は近接させたことによって、端子基板の前面側への変形を防止したこと。【選択図】  図２
2007266985.tif 000002
【特許請求の範囲】
【請求項１】
前面側に位置するボイスコイル付振動板、リング状の磁気空隙を形成するためのトッププレートと永久磁石を有し、前記ボイスコイルが磁気空隙内に挿入されると共に前記振動板の周縁部を支持するヨークフレームと、前記ボイスコイルの端末線が接続される外部端子パターンが背面側を向くように前記ヨークフレームの周縁部に固着された端子基板とを備えた電気音響変換器において、前記端子基板に前記振動板の外形に沿うヨークフレームの前面壁の円形輪郭より外側に突出する端子基板張出部を設けると共に、前記音響変換器の一部を構成し他の役割を有する部材の一部を、前記ヨークフレームの円形輪郭を越えて張出させて他部材張出部を設け、該他部材張出部を前記端子基板張出部の前面側に配置して、前記端子基板の前面側への変形に対する受け部材としたことを特徴とする電気音響変換器。
【請求項２】
前記他部材張出部は、前記ヨークフレームと共に前記振動板の周縁部を挟持する押えリングの一部であることを特徴とする請求項１に記載の電気音響変換器。
【請求項３】
前記音響変換器は前期振動板の前面を保護しかつ放音孔を有するプロテクターを有し、前記他部材張出部は前記プロテクターの一部であることを特徴とする請求項１に記載の電気音響変換器。
【請求項４】
前記他部材張出部は、前記ヨークフレームの一部であることを特徴とする請求項１に記載の電気音響変換器。
【発明の詳細な説明】
【技術分野】
【０００１】
本発明は小型の電気音響変換器の構造に関する。更に詳しくは、電気音響変換器に固着された端子基板の変形を防止する構造に関する。
【背景技術】
【０００２】
例えば携帯電話機等の小型の電子機器に内蔵されるスピーカーまたはレシーバー等の小型電気音響変換器の外形は、通常薄型の円筒形状（外径は例えば約１５ｍｍ程度）をなしている。そのような従来のスピーカー又はレシーバーである電気音響変換器の構造を図１０〜図１２に示す。図１０は従来例の正面図、図１１は従来例の断面図、図１２は従来例の背面図である。
【０００３】
各図において、１はヨークフレームであり、軟磁性材料で段差のある皿状に形成された部材であり、電気音響変換器の大体の外形を決めると共に、動電型電気音響変換器の磁気回路の一部を形成している。その背面側（図１１の下側）にはやや径小の背面突出部１ｄが突出しており、その内側の底部の中心には扁平な円筒形状の永久磁石２が固着されている。永久磁石２の前面側（図１１の上側）には軟磁性材料より成る円板型のトッププレート３が固着されている。トッププレート３の外周とヨークフレームの背面突出部１ｄとの間には、永久磁石２の発生する磁束を空間内に収束させたリング状の磁気空隙４が形成されている。
【０００４】
５は振動板であり、円板状の薄い樹脂フィルムを成型したものである。その各部は、最外周に位置しヨークフレーム１の段差部１ｃ上に載置固定される周縁取付部５ａ、その内側を占める弾性変形部５ｂ、その内側を占め下面側にボイスコイル６が固着されるリング状平坦部５ｃ、そして中央部に設けられボイスコイル６と共に上下方向に平行移動できる中央ドーム部５ｄより成っている。ボイスコイル６は薄い円筒形をなし、トッププレート３の外側とヨークフレームの背面突出部１ｄの内壁との間に生成されるリング状の磁気空隙４内に挿入され、巻線に音声電流を流せば軸方向（図１１の上下方向）に振動し、音響を発生する。
【０００５】
なお通常、振動板５の周縁取付部５ａをヨークフレーム１の段差部１ｃに上方から押圧固定するため、樹脂製又は金属製の押えリングを振動板の周縁取付部５ａの前面に設けたり、また脆弱な振動板５を保護するために、振動板の前方全面を覆うプロテクター（例えば金属板より成り、放音孔が設けられている）を配置するが、図１、２図では基本的な構造を明示するため、押えリングやプロテクターの図示を省略してある。
【０００６】
端子基板９は背面突出部１ｄの外側のヨークフレーム１の背面に位置決め用突起１ｇを援用し方向を決めて配置し接着された弧状の部材で、その下面側には、ボイスコイル６の端末線６ａ（振動板５の裏面よりヨークフレーム１を切欠部１ｅで迂回している）がハンダ付けなどで接続される端末線固着パターン９ｂ、外部端子パターン９ｃ（これらはハッチングして示した）、それら両者を接続している連結パターン９ｄよりなる導電パターンが一対設けられている。
【０００７】
外部端子パターン９ｃには図１１に示すように、製品検査のためあるいは電気音響変換器が装着されるマザーボードとの接続のため、プローブピン１０が外部から矢印方向に圧接される。従来はスピーカーの外形の平面形状はほぼ円形で、端子基板９もその円形輪郭内に収められていた。従ってプローブピン１０の側面と背面突出部１ｄの側面との間の距離Ｄを大きくすることができず、相互の位置誤差も伴うので両者が接触する危険があり、その危険度はスピーカーが小型化するほど著しかった。また外部端子パターン９ｃの面積自体も電気音響変換器の円形輪郭内では十分大きくすることができず、不満を感じる場合があった。
【０００８】
距離Ｄを増し或いは外部端子パターン９ｃの面積を大きくするには、背面図である図１２において細い実線で輪郭を示したように、端子基板９にスピーカーの円形輪郭の外側に張り出すような張出部９ａを設け、外部端子パターン９も細い実線で示したように円形輪郭外に拡張し、その拡張部分９ｃ′にプローブピン１０を当接させればよい。しかし不用意にこの構造を採用すると、断面図である図１１に示すように、端子基板９の張出部９ａの背後（上面側）にはプローブピン１０の圧接力を受ける手段がないため、圧接力によって端子基板９が細い実線で示した断面輪郭９′のように変形又は変位し、端子基板９をヨークフレーム１から剥離させ、スピーカーを破損させる危険が大きかった。
【発明の開示】
【発明が解決しようとする課題】
【０００９】
本発明は上記の従来構造の欠点を解消すべくなされたもので、本発明の目的は、端子基板に張出部を設けて大型化し、しかも外力による変形や剥離を防止することができる電気音響変換器の構造を提供することである。また更なる目的としては、電気音響変換器のヨークフレームと端子基板に接する外部の導体との短絡の危険性を減ずることである。
【課題を解決するための手段】
【００１０】
前記目的を達成するため、本発明の電気音響変換機変換器は次の特徴を備える。
（１）  前面側に位置するボイスコイル付振動板、リング状の磁気空隙を形成するためのトッププレートと永久磁石を有し、前記ボイスコイルが磁気空隙内に挿入されると共に前記振動板の周縁部を支持するヨークフレームと、前記ボイスコイルの端末線が接続される外部端子パターンが背面側を向くように前記ヨークフレームの周縁部に固着された端子基板を備えた電気音響変換器において、前記端子基板に前記振動板の外形に沿うヨークフレームの前面壁の円形輪郭部より外側に突出する端子基板張出部を設けると共に、前記音響変換器の一部を構成し他の役割を有する部材の一部を、前記ヨークフレームの円形輪郭を越えて張出させて他部材張出部を設け、該他部材張出部を前記端子基板張出部の前面側に配置して、前記端子基板の前面側への変形に対する受け部材としたこと。
【００１１】
前記目的を達成するため、本発明の電気音響変換器は更に次のいずれかの特徴を備えることがある。
（２）  前記他部材張出部は、前記ヨークフレームと共に前記振動板の周縁部を挟持する押えリングの一部であること。
【００１２】
（３）  前記音響変換器は前期振動板の前面を保護しかつ放音孔を有するプロテクターを有し、前記他部材張出部は前記プロテクターの一部であること。
【００１３】
（４）  前記他部材張出部は、前記ヨークフレームの一部であること。
【発明の効果】
【００１４】
他の役割を有する部材の一部を利用して他部材張出部とし、それを端子基板張出部の受け部材としたので、電気音響変換器の部品点数を増やすことなく、端子基板の面積を大きくして外部端子パターンをヨークフレームの突出部から遠ざけしかも必要に応じてその面積を大きくすることができ、ヨークフレームと他の導電部材との接触を防止し、しかも端子基板の固定力を確保することができた。
【発明を実施するための最良の形態】
【００１５】
端子基板張出部の受け部材に用いられる他の役割を有する部材としては、振動板押えリング、振動板のプロテクター、又はヨークフレームのうちのいずれかとすることが最良であると思われる。以下それぞれの場合について、本発明の電気音響変換器であるスピーカーの構造を本発明の各実施例として図面を参照しつつ説明する。なお、従来例と構造や機能を共通にする部分については同じ符号を用い、それらについて改めて説明することはせず、従来例との相違点について重点的に説明する。
【実施例１】
【００１６】
図１は実施例１の正面図、図２は断面図、図３は背面図である。本実施例においてもプロテクターは図示を省略されている。従来例との第１の相違点は、ヨークフレーム１の外周部下面に固着された端子基板９が、通常は円形である振動板５の外周の円形輪郭又は外周部に近接した前面壁１ｂの外側の自然な円形輪郭（これを電気音響変換器の主要部の自然な円形輪郭ということができよう）を超えて外側に方形に張り出した張出部９ａを有する点である。この変更によって、外部端子パターン９ｃの位置をヨークフレーム１の背面突出部１ｄから必要なだけ離すことができ、また面積を大きくすることができる。なおボイスコイル６の端末線６ａを背面に通すための切欠部１ｅや端末線固着パターン９ｂは張出部９ａを避けた位置に設ける。
【００１７】
図示された従来例との第２の相違点は、例えば樹脂製の押えリング７を設け、その本体のリング状部分（ヨークフレームの前面壁１ｂに嵌合又は接着等にて相互に固着される）で振動板５の周縁部５ａを押え、ヨークフレームの段差部１ｃと共に振動板５の周縁取付部５ａを挟持し固定する目的を持つ押えリング７を設け、ヨークフレーム１の前面壁１ｂの一部に設けた切欠部を超えて図の左方外側に魚の尾びれ状に突出した押えリング張出部７ａを設け、その下面を端子基板張出部９ａに上面から当接させて端子基板張出部９ａの受け部材としたことである。
【００１８】
この構造により、本実施例は既述の従来例とは異なり、外部端子パターン９ｃがプローブピンや他の導電部材等によって強く（上方に）押されても、押えリング張出部７ａの存在により端子基板９の変形又は変位は防止され、ヨークフレーム１から剥がれる危険がなくなる。またプローブピンもヨークフレームの背面突出部１ｄから離すこともでき、相互の短絡の危険も減少する。また端子パターン９ｃの面積が大きければ、プローブピン等の標的も大きくなり、接続ミスも減少する。
【００１９】
なお押えリング７は少なくとも張出部７ａの分だけ表面積が増えるので、その前面に電気音響変換器を支持するクッション部材や接着シール等を配置するのに有利である。また振動板５を保護するプロテクターを設ける場合は、押えリング７の前面に貼ってもよいし、また皿状のプロテクターとしてその周縁部を振動板の周縁取付部５ａと重ねて一緒に押えリング７で押えるようにしてもよい。
【実施例２】
【００２０】
図４は実施例２の正面図、図５は断面図、図６は背面図である。本実施例については、主に実施例１との相違点について説明を行う。実施例２において端子基板９の形状構造およびその位置は実施例１の場合と変わりはない。しかし実施例２は実施例１の押えリングに替えてプロテクター８を設けた。プロテクター８は振動板５の損傷や異物付着を防止する目的で設ける部材で、金属薄板より成り、本体部分である円板状部は中心部には複数の放音孔８ｂを設け、断面図の図５に明らかなように伏せた皿状に成形され、その周縁部は振動板の周縁取付部５ａと重ねてヨークフレームの前面壁１ｂ又は段差部１ｃに接着等の手段で固着される。
【００２１】
プロテクター８は図４、図５にて明らかなように、左方に実施例１の押えリングと同様にヨークフレーム１の前面壁１ｂの一部に設けた切欠部を超えて魚の尾ひれ状をなして張り出したプロテクター張出部８ａを設け、更に背面側に曲げたその一部を端子基板張出部９ａの上面側に当接させている。この構造により、端子基板張出部９ａが下方から強く押されても端子基板９の変位や変形は防止され、実施例１と実質的に同様な作用と効果が得られる。本実施例においても、プロテクター８に押えリング（張出部なし）を追加し重ねて用いることが可能である。しかしそれら両者ともが張出部を有していても構わない。
【実施例３】
【００２２】
図７は実施例３の正面図、図８は断面図、図９は背面図である。本実施例については、実施例１、実施例２との相違点について説明を行う。実施例３において端子基板９の形状構造およびその位置は実施例１や２と変わりはない。しかし実施例３では端子基板張出部９ａをバックアップする受け部材として、実施例１の押えリングや実施例２のプロテクターに替えて、ヨークフレーム１の一部を図の左方に方形に張り出させたヨークフレーム張出部１ａを用いたことである。本実施例においては端子基板９の全面がヨークフレーム１の下面の同じ平面に当接しているため、最も強固に固定されることが可能であると考えられる。また（円形の）押えリングやプロテクターを併用してもよい。
【００２３】
以上３つの実施例について述べたが、本発明は種々異なる形態で実施することも可能である。例えば電気音響変換器の比較的細部の形状構造、端子基板の形状の変更、各部材の張出部の形状の変更、部材相互の種々の固定方法の採用、部材の材質の変更、部材の追加や削除等を、本発明の技術思想の範囲内で行うことができる。また振動板の形状、即ち電気音響変換器の自然な輪郭形状をほぼ規定する振動板の輪郭形状は円形のみであるとは限らず、楕円形状や多角形形状などがありうる。これらやや異形な形状であっても本発明は成り立つので、これらの輪郭形状も円形輪郭の範囲内に含めることにする。
【産業上の利用可能性】
【００２４】
本発明の音響変換器においては、別の用途を有する部材に端子基板の張出部のバックアップをさせることができたので、部品点数を増さずに所期の目的（確実な外部接続と強度の確保）が達成された。故に産業の利用可能性は高度なものがある。
【図面の簡単な説明】
【００２５】
【図１】本発明の実施例１の正面図である。
【図２】本発明の実施例１の断面図である。
【図３】本発明の実施例１の背面図である。
【図４】本発明の実施例２の正面図である。
【図５】本発明の実施例２の断面図である。
【図６】本発明の実施例２の背面図である。
【図７】本発明の実施例３の正面図である。
【図８】本発明の実施例３の断面図である。
【図９】本発明の実施例３の背面図である。
【図１０】従来例の正面図である。
【図１１】従来例の断面図である。
【図１２】従来例の背面図である。
【符号の説明】
【００２６】
１  ヨークフレーム
１ａ  ヨークフレーム張出部
１ｂ  前面壁
１ｃ  段差部
１ｄ  背面突出部
１ｅ  切欠部
１ｆ  背面孔
１ｇ  位置決め突起
２  永久磁石
３  トッププレート
４  磁気空隙
５  振動板
５ａ  周縁部
５ｂ  弾性変形部
５ｃ  リング状平坦部
５ｄ  中央ドーム部
６  ボイスコイル
６ａ  端末線
７  押えリング
７ａ  押えリング張出部
７ｂ  位置決め突起
８  プロテクター
８ａ  プロテクター張出部
８ｂ  放音孔
９、９′端子基板
９ａ  端子基板張出部
９ｂ  端末線固着パターン
９ｃ、９ｃ′  外部端子パターン
９ｄ  連結パターン
１０  プローブピン
Ｄ  プローブピン１０と背面突出部１ｃとの距離
【図１】
2007266985.tif 000003
【図２】
2007266985.tif 000004
【図３】
2007266985.tif 000005
【図４】
2007266985.tif 000006
【図５】
2007266985.tif 000007
【図６】
2007266985.tif 000008
【図７】
2007266985.tif 000009
【図８】
2007266985.tif 000010
【図９】
2007266985.tif 000011
【図１０】
2007266985.tif 000012
【図１１】
2007266985.tif 000013
【図１２】
2007266985.tif 000014